(57)【要約】【課題】釣竿を収縮した後に仕掛けの位置を調整する必要のない中通し釣竿を提供すること。【解決手段】魚釣用リール８から繰出した釣糸６を内部に導入する釣糸導入孔２８を元竿１２に形成し、この釣糸導入孔２８から導かれた釣糸６を先端のトップガイド１４ａから繰出す先竿１４をこの元竿１２内に収納した中通し釣竿１０であって、元竿１２に、釣糸６に取付けた疑似餌３０を係止する仕掛け係止部３２を設け、先竿１４を元竿１２内に収納したときに仕掛け係止部３２に対応する釣糸の繰出し位置を示す目印３６を、元竿１２と、この元竿１２から引出されてこの元竿１２の先端部に継合された先竿１４とのいずれかの竿管に形成した中通し釣竿。【選択図】      図１
2008011702.tif 000002
【特許請求の範囲】
【請求項１】
魚釣用リールから繰出した釣糸を内部に導入する釣糸導入孔を大径竿管に形成し、この釣糸導入孔から導かれた釣糸を先端のトップガイドから繰出す穂先側竿管をこの大径竿管内に収納した中通し釣竿であって、
前記大径竿管に、釣糸に取付けた仕掛けを係止する仕掛け係止部を設け、前記穂先側竿管を大径竿管内に収納したときに前記仕掛け係止部に対応する釣糸の繰出し位置を示す目印を、前記大径竿管と、この大径竿管から引出されてこの大径竿管の先端部に継合された穂先側竿管とのいずれかの竿管に形成したことを特徴とする中通し釣竿。
【請求項２】
前記トップガイドは、大径竿管の先端部に継合される穂先側竿管に設けられ、前記仕掛け係止部と目印との間の距離は、大径竿管内に釣糸が導入される位置とこの大径竿管の先端部に継合された穂先側竿管の後端部との間の距離の２倍である請求項１に記載の中通し釣竿。
【請求項３】
前記穂先側竿管は、大径竿管に振出し継合される元上竿管と、この元上竿管から引出されてこの元上竿管の先端部に継合される少なくとも１つの細径竿管とを有し、前記トップガイドは、これらの細径竿管の内の最も細径の竿管に取付けられ、前記仕掛け係止部と目印との間の距離は、大径竿管内に釣糸が導入される位置とこの大径竿管の先端部に継合された元上竿管の後端部との間の距離と、この元上竿管の先端から前記トップガイドの先端との間の距離との合計の２倍である請求項１に記載の中通し釣竿。
【請求項４】
前記目印は、竿管の表面から突出した凸部で形成される請求項１から３のいずれか１つに記載の中通し釣竿。
【請求項５】
前記目印は、蛍光材と夜光材と蓄光材との少なくとも１つを含有する請求項１から４のいずれか１つに記載の中通し釣竿。
【発明の詳細な説明】
【技術分野】
【０００１】
本発明は、大径竿管内に穂先側竿管を収納し、使用する際に、穂先側竿管を大径竿管から引出してこの大径竿管の先端部に継合して固定する中通し釣竿に関する。
【背景技術】
【０００２】
近場での釣場移動のように、釣竿に仕掛けを取付けたまま移動する場合には、鉤先が触れて怪我をしないように、あるいは釣竿等を傷つけないように固定する必要がある。この場合、釣糸が釣竿の外側に沿って案内される外通し式釣竿は、大径竿管内に穂先側竿管を順に収納する振出式の釣竿であっても、魚釣用リールで巻き取る等することで、釣竿から垂れ下がった仕掛けの長さを容易に調整することができる。
【０００３】
これに対して、振出式の中通し釣竿の場合は、大径竿管内に収納される穂先側竿管により、釣糸の経路が折り曲げられる。このため、振出式の中通し釣竿を収縮した状態で、魚釣用リールにより釣糸を巻き取ると、釣糸が損傷する虞が高い。
【０００４】
このような中通し釣竿のうちには、釣糸の垂らし寸法を目視によって確認しつつ調節できるように、釣竿の表面に、一定の法則で設定した複数の位置マークを設けたものがある（例えば特許文献１参照）。
【特許文献１】実開平７−３００５５号公報
【発明の開示】
【発明が解決しようとする課題】
【０００５】
しかし、例えば投竿のように、釣竿のしなりによる反発力を利用して仕掛けを遠くに飛ばす場合には、投擲の正確性や投擲距離が、竿先からの釣糸の垂らし寸法が大きく影響するため、複数の位置マークにより、釣人が自由に竿先からの繰出し長さを調整できるとしても、釣竿の長さの全体が変化する振出し式の釣竿の場合には、使用状態における仕掛けの位置と収縮状態における仕掛けの位置とが相違することになる。このような複数の位置マークから収縮状態における仕掛けの位置を推測するのは困難であり、釣竿を収縮した後に釣糸の長さを調整することが必要となる。
【０００６】
本発明は、このような事情に基づいてなされたもので、釣竿を収縮した後に仕掛けの位置を調整する必要のない中通し釣竿を提供することを目的とする。
【課題を解決するための手段】
【０００７】
上記目的を達成するため、本発明によると、魚釣用リールから繰出した釣糸を内部に導入する釣糸導入孔を大径竿管に形成し、この釣糸導入孔から導かれた釣糸を先端のトップガイドから繰出す穂先側竿管をこの大径竿管内に収納した中通し釣竿であって、前記大径竿管に、釣糸に取付けた仕掛けを係止する仕掛け係止部を設け、前記穂先側竿管を大径竿管内に収納したときに前記仕掛け係止部に対応する釣糸の繰出し位置を示す目印を、前記大径竿管と、この大径竿管から引出されてこの大径竿管の先端部に継合された穂先側竿管とのいずれかの竿管に形成した中通し釣竿が提供される。
【０００８】
前記トップガイドが、大径竿管の先端部に継合される穂先側竿管に設けられる場合は、前記仕掛け係止部と目印との間の距離は、大径竿管内に釣糸が導入される位置とこの大径竿管の先端部に継合された穂先側竿管の後端部との間の距離の２倍であることが好ましい。
【０００９】
一方、前記穂先側竿管が、大径竿管に振出し継合される元上竿管と、この元上竿管から引出されてこの元上竿管の先端部に継合される少なくとも１つの細径竿管とを有し、前記トップガイドは、これらの細径竿管の内の最も細径の竿管に取付けられる場合には、前記仕掛け係止部と目印との間の距離は、大径竿管内に釣糸が導入される位置とこの大径竿管の先端部に継合された元上竿管の後端部との間の距離と、この元上竿管の先端から前記トップガイドの先端との間の距離との合計の２倍であることが好ましい。
【００１０】
更に、前記目印は、竿管の表面から突出した凸部で形成することができ、蛍光材と夜光材と蓄光材との少なくとも１つを含有するものであってもよい。
【発明の効果】
【００１１】
本発明の中通し釣竿によると、収縮する前に、魚釣用リールを操作して、仕掛けの位置を目印の位置に合わせることにより、穂先側竿管を大径竿管内に収納した後に、魚釣用リールを操作することなく、仕掛けが大径竿管に設けられた仕掛け係止部と対応した位置に配置される。これにより、釣糸にたるみを生じさせることなく、仕掛けを大径竿管の仕掛け係止部に係止することが可能となり、釣竿を収縮した後に、釣糸に損傷を与える可能性のある長さを調整する操作が不要となる。
【００１２】
トップガイドが、大径竿管の先端部に継合される穂先側竿管に設けられる２本継ぎの中通し釣竿と、穂先側竿管が、大径竿管に振出し継合される元上竿管と、この元上竿管から引出されてこの元上竿管の先端部に継合される少なくとも１つの細径竿管とを有し、トップガイドがこれらの細径竿管の内の最も細径の竿管に取付けられる３本以上継いだ中通し釣竿とのそれぞれに対応した位置に目印を設けることにより、釣竿の全長が相違する場合であっても、極めて簡単かつ迅速に仕掛けの位置を確認することができる。
【００１３】
このような目印が竿管の表面から突出した凸部で形成される場合には、位置決めする際に竿管に傷付くのを防止することができると共に、手の触感で位置を確認することができる。また、目印が蛍光材と夜光材と蓄光材との少なくとも１つを含有する場合には、夜間であっても、仕掛け位置を容易に確認することができる。
【発明を実施するための最良の形態】
【００１４】
図１から図５は、本発明の好ましい実施形態による中通し釣竿１０を示す。  
図１に収縮した状態で示す中通し釣竿１０は、大径竿管である元竿１２内に、穂先側にトップガイド１４ａを取付けた穂先側竿管である先竿１４を収納し、この先竿１４を元竿１２から引出して元竿１２の先端部に先竿１４の基端部を継合させて固定する２本継の振出竿として形成してある。これらの元竿１２および先竿１４は、強化繊維に合成樹脂を含浸させた繊維強化プリプレグ（ＦＲＰ）を芯金に巻回した後、硬化、脱芯等の通常の工程を経て形成される。
【００１５】
この元竿１２には、魚釣用リール８を固定するリールシートすなわちリール脚固定装置１６が配置され、このリール脚固定装置１６の後方に釣人が握持する握り部１８が配置されている。また、元竿１２の後端部には尻栓２０が例えば螺合により取外し可能に設けられ、先竿１４が元竿１２の後端部から抜出るのを防止している。
【００１６】
この元竿１２は、リール脚固定装置１６に固定された魚釣用リール８から繰出された釣糸６を元竿管１２の内側に導く釣糸導入部２２が設けられている。本実施形態の釣糸導入部２２には、糸巻等の適宜の手段で元竿１２の外側に固定された釣糸導入ガイド２４と、元竿１２の壁部に形成した貫通孔の周部を硬質のガイドリング２６で囲んだ釣糸導入孔２８とが設けられている。
【００１７】
図１に示すように、この中通し釣竿１０を収縮した状態では、釣糸導入部２２の釣糸導入孔２８から元竿１２内に導かれた釣糸６は、元竿１２の内面と先竿１４の外面との間に沿って尻栓２０側に向けて延び、先竿１４の基端部１４ｂで折返されて、この先竿１４内を先端部側に向けて延びる。この先竿１４のトップガイド１４ａから外に導かれる釣糸６は、トップカイド１４ａから尻栓２０側に折返され、釣糸６に取付けた仕掛けである疑似餌３０の鉤部３０ａを、元竿１２に固定した仕掛け係止部３２に係止させてある。
【００１８】
なお、図１では、疑似餌３０の２つの鉤部３０ａ，３０ｂの内、鉤部３０ａを係止させてあるが、いずれの鉤部であってもよい。また、疑似餌け３０は、図示のような疑似餌に限らず、鉤部を有するものであればルアーであってもよく、鉤単体であってもよい。
【００１９】
図２に示すように、仕掛け係止部３２には、種々の係止手段を設けることができる。
【００２０】
このような係止手段の例として、図２の（Ａ）は、三角形状の係止環３４ａを示し、同図の（Ｂ）は円環状の係止環３４ｂを示し、同図の（Ｃ）は（Ａ）とは逆向きにした係止環３４ｃを示す。特に三角形状の係止環３４ａ，３４ｃの場合は、その角部で、これに係止した鉤部３０ａの相対移動を阻止することができる。これらの係止環３４ａ，３４ｂ，３４ｃは、例えば金属線あるいは合成樹脂で形成することが好ましい。なお、図２には、全周にわたって内部の孔を閉じた係止環３４ａ，３４ｂ，３４ｃで形成してあるが、このような閉構造に限らず、仕掛けの鉤部３０ａあるいは釣針（図示しない）を係止できるものであれば、例えばフック等のように、周部の一部に切欠きを形成した開構造を有するものであってもよい。
【００２１】
このような係止環３４ａ，３４ｂ，３４ｃは、金属あるいはゴム等の弾性体で形成した保持リング３６に取付け、この保持リング３６を例えば糸巻等により、所要位置に固定することが好ましい。また、係止環３４ａ，３４ｂ，３４ｃは、図１に示すように、魚釣用リール８の反対側に限らず、例えば魚釣用リール８と同じ側あるいはその側方等の、操作の邪魔にならない位置であれば適宜の位置に設けることが可能である。
【００２２】
更に、図１に示すように、本実施形態の元竿１２には、疑似餌３０の鉤部３０ａが仕掛け係止部３２に対応した状態で、釣糸６の繰出し長さを調整することなく、先竿１４を元竿１２から引出して元竿１２の先端部に先竿１４の基端部を継合させて係止したときに、疑似餌３０の鉤部３０ａが位置する部位に、目印３６を形成してある。
【００２３】
図３の（Ａ）に示すように、目印３６は元竿１２の表面上に、例えば図１に示す２つの鉤部３０ａ，３０ｂの間隔等に対応した軸方向範囲にわたって形成してあり、その外面を種々の形態に形成することができる。具体的には、目印３６は、図３の（Ｂ）から（Ｅ）に示すように、元竿１２の表面よりも突出させて形成することが好ましい。このように目印３６が元竿１２の表面から突出することにより、鉤部３０ａ，３０ｂを位置決めする際に元竿１２の表面に傷が付くのを防止することができ、更に、目印３６の範囲が強調されて視覚的に見易く、例えば夜釣り等の場合でも、視覚や触感によって確実に目印３６を認識することができる。
【００２４】
図３の（Ｂ）に示す目印３６ａは、所要の間隔で形成した軸方向両端部の糸巻層３８，４０の上に保護層を形成し、同図（Ｃ）に示す目印３６ｂは、合成樹脂製の熱収縮チューブで形成し、同図（Ｄ）および（Ｅ）に示す目印３６ｃは、塗装もしくは印刷することにより、凸表面として形成したものである。このような目印３６ａ，３６ｂ，３６ｃの他には、繊維強化樹脂あるいはシールテープ等の適宜のテープを巻回して目印３６を形成してもよく、これらの種々の目印を単独で用いることなく、適宜に組み合わせることも可能である。例えば糸巻３８，４０の上に熱収縮性チューブを装着してもよい。更に、図示してないが、合成樹脂、ゴム等の弾性体で所要の目印を予め成形したのち、元竿１２に装着してもよい。
【００２５】
更に、このような目印３６を形成する際、蛍光材、夜光材、蓄光材の少なくとも１つを保護層等に含有させ、あるいは後から塗布することにより、夜間の視認性を向上させることができる。また、目印３６の幅すなわち軸方向寸法は、疑似餌３０の位置合わせをし易いものであれば、適宜に設定することができ、例えば線状に形成してもよい。
【００２６】
図４に示すように、仕掛け係止部３２と目印３６との間の距離Ｌ１は、元竿１２内に釣糸６が導入される位置と、この元竿１２の先端部に継合された先竿１４の後端部１４ｂとの間の距離Ｌ２の２倍となるように設定することが好ましい。
【００２７】
この釣糸６が元竿１２内に導入される位置は、釣糸導入孔２８の元側の端部位置であり、この釣糸導入孔２８の元側端部と先側の端部との中間位置に対応して釣糸ガイド２４に中間導環（図示しない）が設けられる場合には、この中間導環が配置される位置である。これは、先竿１４の基端部１４ｂがこの釣糸６の元竿１２内への導入位置を超えて尻栓２０側に移動する場合には、この基端部１４ｂが尻栓２０側に移動する距離と、トップガイド１４ａが元竿１２側に移動する距離とが等しくなるからである。
【００２８】
この釣竿１０は、図４の（Ａ）に示すように、先竿１４を元竿１２から引出して、元竿１２の先端部に先竿１４の基端部を継合させた状態から、この先竿１４を元竿１２内に引き込んで行くと、トップガイド１４ａの移動分に加え、先竿１４内の釣糸６が移動する長さ分だけ、疑似餌３０が尻栓２０側に移動する。したがって、先竿１４の基端部１４ｂが上述の距離Ｌ２を移動すると、疑似餌３０はこの距離Ｌ２の２倍の距離すなわちＬ１だけ尻栓２０側に移動し、仕掛け係止部３２に対応した位置に達する。
【００２９】
先竿１４が更に元竿１２内に引き込まれると、基端部１４ｂが尻栓２０側に移動する距離と、トップガイド１４ａが元竿１２側に移動する距離とが等しくなるため、疑似餌３０の位置は変化せず、仕掛け係止部３２に対応した位置を保持する。したがって、図４の（Ｂ）に示す位置まで釣竿１０を収縮させても、距離Ｌ２の２倍である距離Ｌ１だけ移動するため、釣竿１０を収縮させる前に、疑似餌３０の例えば鉤部３０ａを目印３６の位置に配置しておくことにより、釣竿１０を収縮させた後に、疑似餌３０の鉤部３０ａが仕掛け係止部３２に対応した位置に配置され、確実かつ簡単に仕掛け係止部３２の係止環３４に鉤部３０ａを係止させることができる。釣竿１０の収縮後に、魚釣用リール８を操作して疑似餌３０の位置を調節する必要がない。
【００３０】
したがって、この釣竿１０によると、釣糸６にたるみを生じさせることなく、仕掛けである疑似餌３０を元竿１２の仕掛け係止部３２に係止することが可能となり、釣竿１０を収縮した後に、釣糸６に損傷を与える可能性のある長さを調整する操作が不要となる。
【００３１】
なお、先竿１４は、基端部１４ｂが尻栓２０に当接するまで移動したときも、トップガイド１４ａが元竿１２の先端から突出する長さに形成することが好ましい。このようにトップガイド１４ａが元竿１２の先端から突出する場合には、釣糸６が元竿１２の先端側開口部である玉口部で傷つけられることなく、疑似餌３０を仕掛け係止部３２に係止させておくことができる。
【００３２】
図５は、このような目印３６を、上述の実施形態のように２本継ぎの中通し釣竿１０だけでなく、３本以上の竿管を継いだ中通し釣竿にも用いた実施形態を示す。なお、図中、同様な部位には同様な符号を付し、その詳細な説明を省略する。
【００３３】
図５に示すように、穂先側竿管が、元竿１２に振出し継合される元上竿管である先竿１４と、この先竿１４から引出されてこの先竿１４の先端部に継合される細径竿４２とを有する釣竿１０Ａの場合は、上述の実施形態における距離Ｌ２に加え、先竿１４の先端部から突出する細径管４２の先端部までの距離Ｌ３をトップガイド１４ａが移動する。このため、トップガイド１４ａが移動する距離Ｌ３に加えて細径管４２内の釣糸６が移動する長さ分すなわちＬ３ｘ２の移動距離が加わる。したがって、この場合には、仕掛け係止部３２と目印３６との間の距離Ｌ１は上述の距離Ｌ２と距離Ｌ３との和の２倍に等しい（Ｌ１＝２（Ｌ２＋Ｌ３））。
【００３４】
なお、上述の実施形態は、先竿１４が元竿１２以上の長さに形成された釣竿１０の場合であり、先竿１４及び細径管４２が元竿１２の玉口部を超えて内部に入りこむ、いわゆる落込み収納する釣竿（図示しない）の場合には、先竿１４の基端部１４ｂが釣糸６の導入位置を超えて尻栓２０側に移動するときに、釣糸６が元竿の玉口部から引き込まれる長さを差引いて目印３６の位置を修正する必要がある。
【００３５】
例えば２本継ぎの場合、釣竿のトップガイド１４ａが元竿の玉口部を超えた後、更に、先竿の基端部が釣糸の導入位置を超えて尻栓２０側に移動すると、釣糸６が元竿の玉口部から引き込まれる。したがって、仕掛け係止部３２と目印３６との間の距離は、元竿１２と先竿１４との長さの差の２倍の距離だけ短くなる。
【００３６】
また、３本継ぎの釣竿での場合にも、先竿１４の基端部が釣糸の導入位置を超えて尻栓２０側に移動する際に元竿の玉口部から釣糸６が引き込まれる長さすなわち元竿１２と先竿１４との長さの差の２倍に対応した距離を差引いた長さが、仕掛け係止部３２と目印３６との間の距離となる。更に、元竿１２の玉口部から延出される先竿１４と細径管４２との合計長さが元竿１２の長さよりも短い３本継ぎの釣竿の場合には、元竿１２の長さと、元竿１２の玉口部から延出される先竿１４と細径管４２との合計長さとの差の２倍に対応した距離を差引いた長さが、仕掛け係止部３２と目印３６との間の距離となる。
【００３７】
先竿１４から更に複数本の細径竿を継合させた場合も同様に、それぞれの釣竿の構造に応じて、仕掛け係止部３２と目印３６との間の距離を設定することができる。
【００３８】
したがって、３本以上の竿管を継合した振出式の中通し釣竿においても、釣竿を収縮する前に、この釣竿の外面に設けた目印３６により、予め疑似餌３０すなわち仕掛けのトップガイド１４ａからの繰出し長さを調整することができる。
【図面の簡単な説明】
【００３９】
【図１】本発明の好ましい実施形態による中通し釣竿を収縮した状態の全体図。
【図２】図１に示す中通し釣竿の仕掛け係止部の種々の形態を示す説明図。
【図３】図１に示す中通し釣竿の表面に形成する種々の目印の形態を示し、（Ａ)は元竿上に配置された目印の説明図、（Ｂ）から（Ｄ）は目印の種々の目印の拡大図、（Ｅ）は（Ｄ）のＥ−Ｅ線に沿う断面図。
【図４】図１に示す中通し釣竿を示し、（Ａ）は伸張した状態の部分断面図、（Ｂ）は収縮させた状態の部分断面図。
【図５】他の実施形態による中通し釣竿の概略を示し、（Ａ）は伸張した状態の部分断面図、（Ｂ）は収縮した状態の断面図。
【符号の説明】
【００４０】
６…釣糸、８…魚釣用リール、１０…中通し釣竿、１２…元竿、１４…先竿、１４ａ…トップガイド、２８…釣糸導入孔、３０…疑似餌、３２…仕掛け係止部、３６…目印。
【図１】
2008011702.tif 000003
【図２】
2008011702.tif 000004
【図３】
2008011702.tif 000005
【図４】
2008011702.tif 000006
【図５】
2008011702.tif 000007